【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
燃料ガスを熱に変換するガス触媒燃焼素子であって、このガス触媒燃焼素子に関連付けて設けた蓄熱体を有し、この蓄熱体の寸法を、前記ガス触媒燃焼素子への燃料ガス供給中断期間中にこの蓄熱体に隣接する前記ガス触媒燃焼素子の隣接部分を点火温度またはそれ以上に維持するために十分な熱を蓄積する大きさにし、それによって、前記ガス触媒燃焼素子への前記燃料ガス供給が再開したときに、前記蓄熱体に隣接した前記ガス触媒燃焼素子の前記隣接部分が、触媒作用による燃料ガスから熱への変換を開始し、前記ガス触媒燃焼素子における残りの部分の温度をその点火温度に上昇させることを特徴とするガス触媒燃焼素子。
【請求項２】
請求項１に記載のガス触媒燃焼素子において、前記蓄熱体を、前記ガス触媒燃焼素子に対して熱伝達関係となる状態にし、それによって、前記ガス触媒燃焼素子が燃料ガスを熱へ変換している期間中には、熱が前記ガス触媒燃焼素子から蓄熱体に伝達され、燃料ガス供給中断期間中には、熱が前記蓄熱体から前記ガス触媒燃焼素子に伝達されるようにしたことを特徴とするガス触媒燃焼素子。
【請求項３】
請求項１または２に記載のガス触媒燃焼素子において、前記蓄熱体を前記ガス触媒燃焼素子の内部に配置したことを特徴とするガス触媒燃焼素子。
【請求項４】
請求項１〜３のいずれか一項に記載のガス触媒燃焼素子において、前記蓄熱体を前記ガス触媒燃焼素子に熱伝導係合状態にしたことを特徴とするガス触媒燃焼素子。
【請求項５】
請求項１〜４のいずれか一項に記載のガス触媒燃焼素子において、前記ガス触媒燃焼素子を内部を貫通する孔を有する細長いガス触媒燃焼素子としたことを特徴とするガス触媒燃焼素子。
【請求項６】
請求項５に記載のガス触媒燃焼素子において、前記蓄熱体を、前記ガス触媒燃焼素子の両側の端部の中間に配置したことを特徴とするガス触媒燃焼素子。
【請求項７】
請求項１〜６のいずれか一項に記載のガス触媒燃焼素子において、前記蓄熱体を前記ガス触媒燃焼素子に対して相対配置して、前記蓄熱体と前記ガス触媒燃焼素子との間に燃料ガスを通過し易くしたことを特徴とするガス触媒燃焼素子。
【請求項８】
請求項１〜７のいずれか一項に記載のガス触媒燃焼素子において、前記蓄熱体を前記ガス触媒燃焼素子の前記隣接部分にクランプし、前記隣接部分の温度を点火温度またはそれ以上に維持することを特徴とするガス触媒燃焼素子。
【請求項９】
請求項８に記載のガス触媒燃焼素子において、前記蓄熱体をクランプする前記ガス触媒燃焼素子の前記隣接部分を、ガス触媒燃焼素子のタブ状部分によって形成し、前記ガス触媒燃焼素子の前記タブ状部分を、前記ガス触媒燃焼素子に形成した孔内で延在させたことを特徴とするガス触媒燃焼素子。
【請求項１０】
請求項８又は９に記載のガス触媒燃焼素子において、前記蓄熱体は、ヘッドおよびこのヘッドから突出するねじ山付きのシャンクを有するねじを備え、前記ねじ山付きのシャンクにナットを設け、前記ガス触媒燃焼素子の前記隣接部分を、前記ヘッドと前記ナットとの間にクランプする構成としたことを特徴とするガス触媒燃焼素子。
【請求項１１】
請求項１〜１０のいずれか一項に記載のガス触媒燃焼素子において、前記蓄熱体を前記ガス触媒燃焼素子の前記孔内に配置したことを特徴とするガス触媒燃焼素子。
【請求項１２】
請求項１１に記載のガス触媒燃焼素子において、前記蓄熱体は栓部材を有する構成とし、該栓部材を、この栓部材の周りに互いに離れた位置で前記ガス触媒燃焼素子と係合する横断面を有する構成とし、該栓部材を、前記互いに離れた位置で前記ガス触媒燃焼素子に対して熱伝導係合状態にし、前記ガス触媒燃焼素子と連携して、該栓部材が前記ガス触媒燃焼素子と係合する前記互いに離れた位置間で、該栓部材と前記ガス触媒燃焼素子との間に前記燃料ガスの通路を生ずる構成にしたことを特徴とするガス触媒燃焼素子。
【請求項１３】
請求項１２に記載のガス触媒燃焼素子において、前記栓部材の横断面を、前記蓄熱体を配置する前記ガス触媒燃焼素子内に形成する前記孔の横断面と異ならせたことを特徴とするガス触媒燃焼素子。
【請求項１４】
請求項１〜１３のいずれか一項に記載のガス触媒燃焼素子において、前記蓄熱体を熱伝導性材料で形成したことを特徴とするガス触媒燃焼素子。
【請求項１５】
請求項１〜１４のいずれか一項に記載のガス触媒燃焼素子において、前記ガス触媒燃焼素子を、軸線方向に延在する細長い孔を有する管状構造にしたことを特徴とするガス触媒燃焼素子。
【請求項１６】
請求項１〜１５のいずれか一項に記載のガス触媒燃焼素子において、前記ガス触媒燃焼素子は、サブストレートと、このサブストレート上に被覆した触媒材料とを備える構成としたことを特徴とするガス触媒燃焼素子。
【請求項１７】
請求項１６に記載のガス触媒燃焼素子において、前記サブストレートは、金属メッシュ材料を有する構成としたことを特徴とするガス触媒燃焼素子。
【請求項１８】
請求項１６又は１７に記載のガス触媒燃焼素子において、前記蓄熱体を、前記サブストレートの一部分によって形成したことを特徴とするガス触媒燃焼素子。
【請求項１９】
請求項１〜１８のいずれか一項に記載のガス触媒燃焼素子を備えたガス作動加熱装置。
【請求項２０】
燃料ガスを熱に変換するためのガス触媒燃焼素子と、このガス触媒燃焼素子と関連付けて設けた蓄熱体とを備えたガス作動加熱装置であって、前記蓄熱体の寸法を、前記ガス触媒燃焼素子への燃料ガス供給中断期間中にこの蓄熱体に隣接する前記ガス触媒燃焼素子の隣接部分を点火温度またはそれ以上に維持するために十分な熱を蓄積する大きさにし、それによって、前記ガス触媒燃焼素子への前記燃料ガス供給が再開したときに、前記蓄熱体に隣接した前記ガス触媒燃焼素子の前記隣接部分が、触媒作用による燃料ガスから熱への変換を開始し、前記ガス触媒燃焼素子における残りの部分の温度をその点火温度に上昇させることを特徴とするガス作動加熱装置。
【請求項２１】
請求項２０に記載のガス作動加熱装置において、前記蓄熱体を、前記ガス触媒燃焼素子に対して熱伝導係合状態となる状態にし、これによって、前記ガス触媒燃焼素子が燃料ガスを熱に変換しているときは、熱が前記ガス触媒燃焼素子から前記蓄熱体へ伝達され、そして、燃料ガス供給が中断している間は、熱が前記蓄熱体から前記ガス触媒燃焼素子に伝達されるようにしたことを特徴とするガス作動加熱装置。
【請求項２２】
請求項２０又は２１に記載のガス作動加熱装置において、前記ガス触媒燃焼素子を、本体部材の燃焼室内に配置し、前記蓄熱体を前記ガス触媒燃焼素子内に配置し、これによって前記蓄熱体が前記本体部材との直接的な熱伝達関係とならない構成にしたことを特徴とするガス作動加熱装置。
【請求項２３】
請求項２２に記載のガス作動加熱装置において、前記蓄熱体を前記ガス触媒燃焼素子内に配置し、これによって前記蓄熱体を前記本体部材から熱的にほぼ分離したことを特徴とするガス作動加熱装置。
【請求項２４】
請求項２２又は２３に記載のガス作動加熱装置において、前記装置をグルーガンとし、１本の熱溶融接着剤を収容する細長い管状接着剤を収容する室を前記本体部材に形成し、前記室で棒状の接着剤を溶融する構成としたことを特徴とするガス作動加熱装置。
【請求項２５】
請求項２２又は２３に記載のガス作動加熱装置において、前記ガス作動加熱装置をはんだごてとし、前記本体部材の終端部を前記はんだごての先端部分としたことを特徴とするガス作動加熱装置。
【請求項２６】
ガス触媒燃焼素子への燃料ガス供給が周期的に中断する期間中に、前記ガス触媒燃焼素子の一部分の温度をこのガス触媒燃焼素子の点火温度以上に維持するよう前記ガス触媒燃焼素子を動作させる操作方法において、
前記ガス触媒燃焼素子に関連させた蓄熱体であって、燃料ガス供給中断期間中に、この蓄熱体に隣接する前記ガス触媒燃焼素子の隣接部分の温度をその点火温度以上に維持するために十分な熱を蓄積する大きさの該蓄熱体を設け、これによって、前記ガス触媒燃焼素子への燃料ガスの供給が再開されると、前記蓄熱体に隣接する前記ガス触媒燃焼素子の前記隣接部分により燃料ガスから熱への変換を開始し、前記ガス触媒燃焼素子における残りの部分の温度をその点火温度まで上昇させるようにする、ガス触媒燃焼素子の動作方法。
【請求項２７】
前記蓄熱体を、前記ガス触媒燃焼素子に対して熱伝導係合状態となるよう配置し、それによって、前記ガス触媒燃焼素子が燃料ガスを熱へ変換している期間には、熱が前記ガス触媒燃焼素子から蓄熱体に伝達され、燃料ガス供給中断期間中には、熱が前記蓄熱体から前記ガス触媒燃焼素子に伝達されるようにすることを特徴とする請求項２６に記載の方法。
【請求項２８】
前記蓄熱体を前記ガス触媒燃焼素子内に配置することを特徴とする請求項２６または２７のいずれか一項に記載の方法。
【請求項２９】
前記ガス触媒燃焼素子を細長いガス触媒燃焼素子とし、このガス触媒燃焼素子における両側端部間の中間に前記蓄熱体を配置することを特徴とする請求項２６〜２８のいずれか一項に記載の方法。
【請求項３０】
前記ガス触媒燃焼素子内に孔を形成することを特徴とする請求項２６〜２９のいずれか一項に記載の方法。
【請求項３１】
前記蓄熱体を前記ガス触媒燃焼素子内に形成した前記孔内に配置することを特徴とする請求項３０に記載の方法。
【請求項３２】
前記蓄熱体を前記ガス触媒燃焼素子に対して相対配置し、前記蓄熱体と前記ガス触媒燃焼素子との間で燃料ガスが通過し易くすることを特徴とする請求項２６から３１のいずれか一項に記載の方法。
【請求項３３】
前記蓄熱体を前記ガス触媒燃焼素子の一部分の上にクランプすることを特徴とする、請求項２６〜３２のいずれか一項に記載の方法。
【手続補正２】
【補正対象書類名】明細書
【補正対象項目名】００３２
【補正方法】変更
【補正の内容】
【００３２】
本発明の一つの実施形態において、ガス触媒燃焼素子は、サブストレートと、このサブストレート上に被覆した触媒材料を備える構成とする。